(57)【特許請求の範囲】
【請求項１】
複数の端子を含む音声信号用プラグと、
複数のラインを含み、一端側に上記音声信号用プラグが接続されて音声信号を伝送する音声信号伝送ケーブルと、を含むアンテナ装置と、
上記アンテナ装置の上記音声信号用プラグが接続されるジャック部と、を有し、
上記音声信号用プラグは、
円筒状の先端部に、少なくともステレオ信号の左チャンネル端子、右チャンネル端子、グランド端子が円筒軸方向に沿って互いに絶縁されて形成され、
円筒状の後端部に、少なくともステレオ信号の左チャンネル端子、右チャンネル端子、グランド端子が円筒軸を中心に互いに絶縁されて形成され、
先端部の左チャンネル端子と後端部の左チャンネル端子が円筒軸内を通して電気的に接続され、
先端部の右チャンネル端子と後端部の右チャンネル端子が円筒軸内を通して電気的に接続され、
先端部のグランド端子と後端部のグランド端子が円筒軸内を通して電気的に接続され、
上記音声信号伝送ケーブルは、 
少なくともオーディオの左（Ｌ）ライン、右（Ｒ）ライン、およびグランド（Ｇ）ラインを含み、 
当該オーディオの左（Ｌ）ライン、右（Ｒ）ライン、およびグランド（Ｇ）ラインのうち少なくともグランド（Ｇ）ラインが、ジャケットにより被覆されたシールド部付同軸状ケーブルにより形成され、 
上記音声信号用プラグの少なくとも上記後端部の左チャンネル端子と上記音声信号伝送ケーブルの上記左（Ｌ）ラインの一端側、および上記音声信号用プラグの上記後端部の右チャンネル端子と上記音声信号伝送ケーブルの上記右（Ｒ）ラインの一端側が、高周波的な遮断機能を有する高周波遮断部を介して接続され、 
上記音声信号用プラグの上記後端部の上記グランド端子と、上記音声信号伝送ケーブルの上記シールド部付同軸状ケーブルのシールド部と、上記グランド（Ｇ）ラインの一端側
と、が接続され、
上記音声信号伝送ケーブルの一端側、および上記音声信号伝送ケーブルの他端側のうち少なくとも一端側に、上記音声信号用プラグの円筒状の後端部と接続するための中継基板部が配置され、
上記中継基板部には、
上記音声信号用プラグの円筒状の後端部を収容する収容領域が形成され、当該収容領域の長手方向に沿って収容される上記音声信号用プラグの各端子と対向する領域に配置されて対応するプラグ端子と接続される接続端子が形成され、
少なくとも、上記音声信号用プラグの各端子との上記接続端子に接続される接続ライン、および上記高周波遮断部が実装され、
上記ジャック部は、
基板に実装され、当該基板の少なくとも上記ジャック部の配置領域は導電ラインがない非導電領域として形成され、上記ジャック部の配置領域の周囲の基板には、少なくとも、上記音声信号用プラグの各端子との接続端子、接続ラインが形成されている
受信装置。
【請求項２】
上記ジャック部は、
複数の引き出し部を含み、
少なくとも上記音声信号用プラグが接続されてアンテナ信号ラインを形成する一引き出し部以外の他の引き出し部に、高周波的な遮断機能を有する高周波遮断部が接続されている
請求項１記載の受信装置。
【請求項３】
上記一引き出し部は、
分岐され、一分岐部に高周波遮断部が接続され、
他分岐部にキャパシタが接続されている
請求項２記載の受信装置。
【請求項４】
上記アンテナ装置が接続可能で、放送波の受信機能を有する電子機器を有し、
上記電子機器は、
上記アンテナ装置の上記音声信号用プラグが接続される上記ジャック部を含む
請求項１から３のいずれか一に記載の受信装置。
【発明の詳細な説明】
【技術分野】
【０００１】
本発明は、たとえば携帯型のＡＶ機器、携帯電話機等の携帯型電子機器に適用可能なアンテナ装置およびその受信装置に関するものである。
【背景技術】
【０００２】
携帯型電子機器の大画面化および高性能化と、テレビジョン（ＴＶ）チューナーの小型化および薄型化に伴い、受信端末にて、ＴＶ視聴が可能な携帯型電子機器端末が世に普及している。
【０００３】
そして近年、携帯電話機に代表される通信端末等の電子機器には、ＦＭラジオやデジタルラジオ、またはデジタルテレビジョンの放送波を受信する機能を有するものが増えてきている。
この電子機器の音声は、同軸ケーブルを用いたイヤホンケーブルを通してイヤホン（ヘッドホンを含む）で聴取することも行われている。
【０００４】
また、テレビジョン受像機を搭載した携帯電話機等の電子機器では、その音声をイヤホンで聴取すると共に、イヤホン用のケーブルをシールドケーブルで形成して受信アンテナとして機能させ、高周波信号の伝送にも利用することが行われている。
いわゆるイヤホンアンテナについては、たとえば特許文献１、２に開示されている。
【先行技術文献】
【特許文献】
【０００５】
【特許文献１】特許第４００３６７１号
【特許文献２】特許第４１２３２６２号
【発明の概要】
【発明が解決しようとする課題】
【０００６】
上述したイヤホンアンテナとしては、φ３．５ｍｍやφ２．５ｍｍのプラグを用いたイヤホンケーブルを使用して、ＦＭ放送波受信や、ワンセグ受信のアンテナとして、使われているものが多い。
ところが、φ３．５、φ２．５極のような筒型の端子を用いる場合、高周波的な結合が大きく、アンテナゲインの劣化が顕著であるという不利益がある。
【０００７】
本発明は、端子結合部における損失を削減でき、高い受信性能を実現することが可能なアンテナ装置および受信装置を提供することにある。
【課題を解決するための手段】
【０００８】
本発明の第１の観点のアンテナ装置は、複数の端子を含む音声信号用プラグと、複数のラインを含み、一端側に上記音声信号用プラグが接続されて音声信号を伝送する音声信号伝送ケーブルと、を含み、上記音声信号用プラグの一端子と上記音声信号伝送ケーブルの一ラインとが接続されて、アンテナ信号ラインが形成され、少なくとも、上記音声信号伝送ケーブルの上記アンテナ信号ラインを形成するライン以外の他ラインに接続される上記音声信号用プラグの上記アンテナ信号ラインを形成する端子以外の他端子に、高周波的な遮断機能を有する高周波遮断部が接続されている。
【０００９】
本発明の第２の観点の受信装置は、アンテナ装置と、上記アンテナ装置が接続可能で、放送波の受信機能を有する電子機器と、を有し、上記アンテナ装置は、複数の端子を含む音声信号用プラグと、複数のラインを含み、一端側に上記音声信号用プラグが接続されて音声信号を伝送する音声信号伝送ケーブルと、を含み、上記音声信号用プラグの一端子と上記音声信号伝送ケーブルの一ラインとが接続されて、アンテナ信号ラインが形成され、少なくとも、上記音声信号伝送ケーブルの上記アンテナ信号ラインを形成するライン以外の他ラインに接続される上記音声信号用プラグの上記アンテナ信号ラインを形成する端子以外の他端子に、高周波的な遮断機能を有する高周波遮断部が接続されている。
【発明の効果】
【００１０】
本発明によれば、端子結合部における損失を削減でき、高い受信性能を実現することができる。
【図面の簡単な説明】
【００１１】
【図１】本発明の第１の実施形態に係るアンテナ装置を形成するアンテナケーブルを含む電子機器（セット機器）の一例である携帯端末を含む受信システム（受信装置）を示す図である。
【図２】本発明の第１の実施形態に係る受信システムの等価回路を示す図である。
【図３】本実施形態に係るアンテナケーブルを形成するシールド部付同軸ケーブルおよび中継基板を含むプラグ接続部の等価回路を示す図である。
【図４】シールド部付同軸ケーブルの構造例を示す図である。
【図５】本実施形態に係る中継部の実装基板の構成例を示す図である。
【図６】携帯端末（電子機器）における３極ジャック部の基板への実装例を示す図である。
【図７】図６（Ａ）および（Ｂ）のように、携帯端末（電子機器）における基板に３極ジャック部を実装した場合の受信装置の周波数に対する第１のピークゲイン特性を示す図である。
【図８】図６（Ａ）および（Ｂ）のように、携帯端末（電子機器）における基板に３極ジャック部を実装した場合の受信装置の周波数に対する第２のピークゲイン特性を示す図である。
【図９】アンテナケーブルの中継部の実装基板においてプラグ端子に高周波遮断部としてのフェライトビーズを実装した場合と実装していない場合の受信装置の周波数に対するピークゲイン特性を示す図である。
【図１０】アンテナケーブルにイヤホンケーブルを接続したときのＶＨＦ帯の受信装置の周波数に対するピークゲイン特性を示す図である。
【図１１】本発明の第２の実施形態に係る受信システムの等価回路を示す図である。
【図１２】本発明の第３の実施形態に係る受信システムの等価回路を示す図である。
【図１３】本発明の第４の実施形態に係る受信システムの等価回路を示す図である。
【図１４】アンテナケーブルを用いずにイヤホンケーブルを接続したときのＶＨＦ帯およびＵＨＦ帯の受信装置の周波数に対するピークゲイン特性を示す図である。
【図１５】本発明の第５の実施形態に係る受信システムの等価回路を示す図である。
【図１６】本発明の第６の実施形態に係る受信システムの等価回路を示す図である。
【発明を実施するための形態】
【００１２】
以下、本発明の実施形態を図面に関連付けて説明する。
なお、説明は以下の順序で行う。
１．第１の実施形態（受信システム（受信装置）の第１の構成例）
２．第２の実施形態（受信システム（受信装置）の第２の構成例）
３．第３の実施形態（受信システム（受信装置）の第３の構成例）
４．第４の実施形態（受信システム（受信装置）の第４の構成例）
５．第５の実施形態（受信システム（受信装置）の第５の構成例）
６．第６の実施形態（受信システム（受信装置）の第６の構成例）
【００１３】
＜１．第１の実施形態＞
［受信システム（受信装置）の第１の構成例］
図１は、本発明の第１の実施形態に係るアンテナ装置を形成するアンテナケーブルを含む電子機器（セット機器）の一例である携帯端末を含む受信システム（受信装置）を示す図である。
図２は、本発明の第１の実施形態に係る受信システムの等価回路を示す図である。
図３は、本実施形態に係るアンテナケーブルを形成するシールド部付同軸ケーブルおよび中継基板を含むプラグ接続部の等価回路を示す図である。
【００１４】
受信システム１０は、電子機器としての携帯端末２０、およびアンテナ装置３０を主構成要素として有している。
【００１５】
携帯端末２０は、たとえばテレビジョン受像機を内蔵し、オーディオ系回路、表示系回路、液晶表示デバイス等の表示部２１、キー入力等を行う操作部を有する。
携帯端末２０は、高周波信号を受信するためにアンテナ装置を形成する３極プラグ４０が接続される丸型ジャック部２２等を含む。
丸型ジャック部２２の構成については後で詳述する。
【００１６】
本実施形態のアンテナ装置３０は、たとえば放送局から送信されたＦＭ帯や、デジタルテレビジョン放送を受信するために使われるＶＨＦ帯〜ＵＨＦ帯の電波信号を受信し、伝送することが可能である。
【００１７】
アンテナ装置３０は、主として音声信号用３極プラグ４０および音声信号伝送ケーブル５０により形成され、ジャック部は電子機器である携帯端末２０に形成されている。
そして、本第１の実施形態においては、音声信号伝送ケーブル５０は、アンテナケーブル６０およびイヤホンケーブル７０により形成される。
【００１８】
アンテナケーブル６０は、シールド部付同軸ケーブル６１の一端部にφ３．５ｍｍの３極プラグ４０が中継部を介して接続され、他端にφ３．５ｍｍの３極ジャック６３が形成されている。
３極プラグ４０の中継基板による接続部および３極ジャック６３の形成部分には、キャップ６４，６５が配置されている。
【００１９】
［３極プラグの構成例］
３極プラグ４０は、ジャック部２２に挿入される円筒状の先端部４１に、先端側から順に、ステレオ音声信号の左チャンネル（Ｌｃｈ）端子４１１、右チャンネル（Ｒｃｈ）端子４１２、およびグランド（ＧＮＤ）端子４１３が、互いに絶縁されて形成されている。
３極プラグ４０は、アンテナケーブル６０の一端部（側）と接続される円筒状の後端部４２に、中央部側からＧＮＤ端子４２１、Ｒｃｈ端子４２２、およびＬｃｈ端子４２３が、互いに絶縁されて形成されている。
そして、３極プラグ４０において、先端部４１のＬｃｈ端子４１１と後端部４２のＬｃｈ端子４２３が円筒軸内を通して電気的に接続されている。
先端部４１のＲｃｈ端子４１２と後端部４２のＲｃｈ端子４２２が円筒軸内を通して電気的に接続されている。
先端部４１のＧＮＤ端子４１３と後端部４２のＧＮＤ端子４２１が円筒軸内を通して電気的に接続されている。
【００２０】
アンテナケーブル６０は、同軸ケーブル６１、同軸ケーブルの一端部に配置された中継部６２、および同軸ケーブル６１の他端部に形成された３極ジャック６３を有する。
中継部６２はキャップ６４で被覆され、３極ジャック６３はキャップ６５で被覆されている。
【００２１】
同軸ケーブル６１は、複数のラインを含み、一端側に中継部６２において３極プラグ４０が接続され、他端側には３極ジャック６３を介してイヤホンケーブル７０が接続可能に形成されている。
この同軸ケーブル６１は、たとえばジャケットにより被覆されたシールド部付同軸ケーブルにより形成される。
【００２２】
［アンテナケーブルの構成例（シールド部付同軸ケーブルの構成例）］
図４は、シールド部付同軸ケーブルの構造例を示す図である。
【００２３】
図４のシールド部付同軸ケーブル６１は、３芯同軸ケーブル６１０により形成されている。
３芯同軸ケーブル６１０は、オーディオのＬラインおよびＲライン、およびＧＮＤラインを形成する複数の芯線６１１，６１２，６１３、および芯線６１１，６１２，６１３を絶縁するための内部絶縁体６１４を有する。
同軸ケーブル６１０は、絶縁体６１４の外周に配置された外部導体としてのシールド部６１５、および外周全体を被覆するエラストマー等の外部絶縁体（外皮、ジャケット）６１６を有する。
【００２４】
Ｒライン、およびＬラインを形成する芯線６１１，６１２が他ラインに相当し、ＧＮＤラインを形成する芯線６１３が一ラインに相当する。
【００２５】
芯線６１１，６１２，６１３は、たとえばアラミド繊維入りポリウレタン線により形成される。
絶縁体６１４は、たとえばＸ線照射架橋ＰＥにより形成される。
また、シールド部６１５は、たとえば軟銅線により形成される。
また、シールド部６１５は、導電性を有する複数の素線、たとえば裸軟銅線を編組した編組シールドにより形成されている。
なお、編組シールドは、横巻シールドと比べて、屈曲時においてもシールドの隙間発生が少なく、適度な柔軟性、折り曲げ強さ、機械的強度を備えた静電シールド方法として知られているものである。
芯線６１１，６１２，６１３とシールド部６１５は、高周波的にインピーダンスを有する。
【００２６】
［中継部の構成例］
次に、中継部６２の構成例について説明する。
図２は、本実施形態に係る中継部の具体的な構成、並びに音声信号ケーブルおよび同軸ケーブルの接続例を示す図である。
【００２７】
中継部６２は、たとえば基板あるいはモールド成型にて形成される。
中継部６２の一端部側において、同軸ケーブル６１０は、絶縁体６１４、シールド部６１５、ジャケット６１６が除去されて芯線６１１，６１２，６１３が露出している。
また、中継部６２の近傍にはジャケット６１６が除去されてシールド部６１５が露出している。
中継部６２の他端側において、３極プラグ４０の後端部４２が、同軸ケーブル６１０の一端側の芯線６１１，６１２，６１３の端部と対向するように配置される。
【００２８】
中継部６２では、３極プラグ４０の後端部４２のＲｃｈ端子４２２には、たとえば高周波遮断機能を有するインダクタＬ１やフェライトビーズＦＢ１により形成される高周波遮断部６２１が接続されている。
そして、３極プラグ４０の後端部４２のＲｃｈ端子４２２は、高周波遮断部６２１を介して、同軸ケーブル部６１０の芯線６１１（Ｒｃｈライン）と接続されている。
【００２９】
中継部６２では、３極プラグ４０の後端部４２のＬｃｈ端子４２３には、たとえば高周波遮断機能を有するインダクタＬ２やフェライトビーズＦＢ２により形成される高周波遮断部６２２が接続されている。
そして、３極プラグ４０の後端部４２のＬｃｈ端子４２３は、高周波遮断部６２２を介して、同軸ケーブル部６１０の芯線６１２（Ｌｃｈライン）と接続されている。
【００３０】
中継部６２では、３極プラグ４０の後端部４２のＧＮＤ端子４２１が、同軸ケーブル６１０の芯線６１３（ＧＮＤライン）に接続され、その接続部は同軸ケーブル６１０のシールド部６１５に接続されている。
これにより、アンテナ信号ラインＬＡＮＴが形成されている。
【００３１】
高周波遮断部６２１，６２２は、Ｌｃｈ、Ｒｃｈのオーディオライン上では、それぞれ、音声の帯域で低インピーダンス、高周波の領域、たとえばＶＨＦ帯以上では、高インピーダンスとなるような高周波遮断のために実装されている。
【００３２】
図５は、本実施形態に係る中継部の実装基板の構成例を示す図である。
【００３３】
この実装基板８０は、長さ１６．１ｍｍ、幅５．５ｍｍの長方形状に形成されている。
実装基板８０は、その長手方向の一端部にφ３．５ｍｍの３極プラグ４０の後端部４２を収容するプラグ収容領域８１が形成されている。
この例では、３極プラグ４０の後端部４２の長さは７．５ｍｍ程度である。
プラグ収容領域８１の周囲には、その収容口近傍に収容される３極プラグ４０のＧＮＤ端子４２１と接続されるＧＮＤ端子８２が形成されている。
プラグ収容領域８１の長手方向の先端よりの中間部に、Ｒｃｈ端子４２２と接続されるＲ端子８３が形成されている。
プラグ収容領域８１の長手方向の先端部には、Ｌｃｈ端子４２３と接続されるＬ端子８４が形成されている。
【００３４】
実装基板８０は、その長手方向の他端部に、同軸ケーブル６１０の芯線６１１，６１２，６１３が半田等により接続される接続端子８５，８６，８７が形成されている。
端子８３と接続端子８５の配置位置の間に高周波遮断部６２１を形成するフェライトビーズＦＢ１が実装されている。
端子８４と接続端子８６の配置位置の間に高周波遮断部６２２を形成するフェライトビーズＦＢ２が実装されている。
そして、端子８２と端子８７が接続配線ＬＷ１により接続されている。端子８３とフェライトビーズＦＢ１が接続配線ＬＷ２により接続されている。端子８４とフェライトビーズＦＢ２が接続配線ＬＷ３により接続されている。
フェライトビーズＦＢ１と接続端子８５が接続配線ＬＷ４により接続されている。フェライトビーズＦＢ２と接続端子８６が接続配線ＬＷ５により接続されている。
【００３５】
実装基板８０は、３極プラグ４０の後端部４２の端子４２１，４２２，４２３は、プラグ端子のそれぞれに対応する部分の端子８２，８３，８４で半田付けにより接続されて、アンテナとして機能する構造を有している。
【００３６】
［アンテナケーブルの３極ジャックの構成例］
３極ジャック６３は、図２および図３に示すように、Ｒｃｈ端子６３１、Ｌｃｈ端子６３２、およびＧＮＤ端子６３３を有する。
３極ジャック６３の近傍において、同軸ケーブル６１０の他端部は、絶縁体６１４、シールド部６１５、ジャケット６１６が除去されて芯線６１１，６１２，６１３が露出している。また、３極ジャック６３の近傍にはジャケット６１が除去されてシールド部６１５が露出している。
そして、Ｒｃｈ端子６３１は芯線６１１に接続され、Ｌｃｈ端子６３２は芯線６１２に接続され、ＧＮＤ端子６３３は芯線６１３に接続されている。
また、図において、６３４はプラグ挿入口を示している。
【００３７】
［イヤホンケーブルの構成例］
イヤホンケーブル７０は、一端部が分岐されてＲｃｈ用イヤホン７１、Ｌｃｈ用イヤホン７２が接続され、他端部にφ３．５ｍｍの３極プラグ７３が接続されている。
３極プラグ７３は、その円筒状の先端部をアンテナケーブル６０の３極ジャック６３に挿入して接続可能であり、Ｒｃｈ端子７３１、Ｌｃｈ端子７３２、およびＧＮＤ端子７３３を有する。
そして、Ｒｃｈ端子７３１とイヤホン７１がＲｃｈライン７３４により接続され、Ｌｃｈ端子７３２とイヤホン７２がＬｃｈライン７３５により接続され、ＧＮＤ端子７３３がＧＮＤライン７３６，７３７と接続されている。
【００３８】
［携帯端末（電子機器）の３極ジャック部２２の構成例］
携帯端末２０に形成される３極ジャック部２２は、図２に示すように、３極ジャック２２１、引き出し部（引き出しライン部）２２２，２２３，２２４を有する。
引き出し部２２２は、３極ジャックのＲｃｈ端子ＴＲに接続されてＲｃｈの音声信号を図示しない信号処理系に供給する。
引き出し部２２２には、高周波遮断のためのインダクタＬやフェライトビーズＦＢ等により形成される高周波遮断部２２５が挿入（接続）されている。
引き出し部２２３は、３極ジャックのＬｃｈ端子ＴＬに接続されてＬｃｈの音声信号を図示しない信号処理系に供給する。
引き出し部２２３には、高周波遮断のためのインダクタＬやフェライトビーズＦＢ等により形成される高周波遮断部２２６が挿入（接続）されている。
引き出し部２２４は、３極ジャックのＧＮＤ端子ＴＧに接続されてセットグランドに接続される。
引き出し部２２４には、高周波遮断のためのインダクタＬやフェライトビーズＦＢ等により形成される高周波遮断部２２７が挿入（接続）されている。
引き出し部２２４は、２つに分岐され、第１の分岐ラインＬＢ１に高周波遮断部２２７が接続される。第２の分岐ラインＬＢ２はアンテナ信号ラインＬＡＭＴを形成し、キャパシタＣ２２１が接続され、さらにキャパシタＣ２２１を介してチューナー２３に接続されている。
【００３９】
図６（Ａ）および（Ｂ）は、携帯端末（電子機器）における３極ジャック部の基板への実装例を示す図である。
図６（Ａ）は、ジャック部２２の基板２４への実装領域の背面（実装面）にＧＮＤラインや信号ライン（導電ライン）が形成されている例を示している。
図６（Ｂ）は、ジャック部２２の実装領域の背面（実装面）にはＧＮＤラインや信号ラインがない領域（非導電領域）２４１を形成している例を示している。
【００４０】
図７（Ａ）および（Ｂ）は、図６（Ａ）および（Ｂ）のように、携帯端末（電子機器）における基板に３極ジャック部を実装した場合の受信装置の周波数に対する第１のピークゲイン特性を示す図である。
【００４１】
図８（Ａ）および（Ｂ）は、図６（Ａ）および（Ｂ）のように、携帯端末（電子機器）における基板に３極ジャック部を実装した場合の受信装置の周波数に対する第２のピークゲイン特性を示す図である。
図７および図８の（Ａ），（Ｂ）において、Ｈで示す曲線が水平偏波(Horizontal Polarization)の特性を示し、Ｖで示す曲線が垂直偏波(Vertical Polarization)の特性を示している。
また、図７および図８の（Ｃ），（Ｄ）においては、特性図にあわせて測定結果を詳細に示す図表を図示している。
【００４２】
この例は、図６（Ａ），（Ｂ）のようにジャック部２２の背面にこのＧＮＤがある場合とない場合をアンテナケーブル６０にイヤホン長さ１２００ｍｍ品を装着した場合とアンテナケーブル６０のみを暗室で、アンテナゲインを測定した場合である。
図７がイヤホンケーブル７０を接続した場合の測定結果を、図８がアンテナケーブル６０のみの場合の測定結果を示している。
これらの図からわかるように、ジャック部２２の配置領域の実装面（背面）にＧＮＤ等の導電部がない場合は、ある場合に比較して、大きく特性が改善している。
【００４３】
また、図９（Ａ）および（Ｂ）は、アンテナケーブル６０の中継部の実装基板においてプラグ端子に高周波遮断部としてのフェライトビーズを実装した場合と実装していない場合の受信装置の周波数に対するピークゲイン特性を示す図である。
図９（Ａ）が高周波遮断部としてのフェライトビーズを実装した場合の測定結果を、図９（Ｂ）が高周波遮断部としてのフェライトビーズを実装していない場合の測定結果を示している。
図９（Ａ），（Ｂ）において、Ｈで示す曲線が水平偏波の特性を示し、Ｖで示す曲線が垂直偏波の特性を示している。
また、図９（Ｃ），（Ｄ）においては、特性図にあわせて測定結果を詳細に示す図表を図示している。
【００４４】
図９からわかるように、プラグ端子に高周波遮断部を接続してない場合には、大きく特性が劣化し、接続している場合には良好な特性を得られる。
【００４５】
図１０（Ａ）は、アンテナケーブルにイヤホンケーブルを接続したときのＶＨＦ帯の受信装置の周波数に対するピークゲイン特性を示す図である。
図１０（Ａ）において、Ｈで示す曲線が水平偏波の特性を示し、Ｖで示す曲線が垂直偏波の特性を示している。
また、図１０（Ｂ）においては、特性図にあわせて測定結果を詳細に示す図表を図示している。
【００４６】
図１０からわかるように、本実施形態のアンテナケーブルとイヤホンケーブルを含むアンテナ装置を用いていることにより、ＶＨＦ帯のローバンドもハイバンドも受信可能である。
【００４７】
＜２．第２の実施形態＞
［受信システム（受信装置）の第２の構成例］
図１１は、本発明の第２の実施形態に係る受信システムの等価回路を示す図である。
【００４８】
本第２の実施形態に係る受信システム１０Ａが第１の実施形態に係る受信システム１０と異なる点は、アンテナ装置３０Ａにおいて、アンテナケーブル６０Ａとイヤホンケーブル７０Ａをプラグ接続ではなく、一体的に接続したことにある。
【００４９】
その他の構成は第１の実施形態と同様である。
本第２の実施形態によれば、上述した第１の実施形態と同様の効果を得ることができる。
【００５０】
＜３．第３の実施形態＞
［受信システム（受信装置）の第３の構成例］
図１２は、本発明の第３の実施形態に係る受信システムの等価回路を示す図である。
【００５１】
本第３の実施形態に係る受信システム１０Ｂが第２の実施形態に係る受信システム１０Ａと異なる点は、プラグとして４極プラグ４０Ｂを用いたことにある。
これに応じてアンテナケーブル６０Ｂは、４芯の同軸ケーブル６１０Ｂが適用されている。
図１２においては、同軸ケーブル６１０Ｂの断面を併せて示している。
【００５２】
４極プラグ４０Ｂは、先端部４１Ｂにおいて、Ｒｃｈ端子４１２とＧＮＤ端子４１３との間に、マイクロフォン（ＭＩＣ）端子４１４が形成されている。
そして、４極プラグ４０Ｂは、後端部４２Ｂにおいて、ＧＮＤ端子４２１とＲｃｈ端子４２２との間にＭＩＣ端子４２４が形成されている。
中継部６２Ｂにおいて、ＭＩＣ端子４２４には、インダクタＬ３やフェライトビーズにより形成される高周波遮断部６２３が接続されている。
また、同軸ケーブル６１０Ｂは、３芯の同軸ケーブル６１０に比べて芯線６１７が１本多く含まれている。
芯線６１７の一端部は中継部６２Ｂにおいて高周波遮断部６２３に接続されている。
また、芯線６１７の他端部は、マイクロフォン（ＭＩＣ）９０に接続され、ＭＩＣ９０は、ＧＮＤラインである芯線６１３とイヤホンケーブル７０ＢのＧＮＤラインとに接続される。
【００５３】
また、携帯端末（電子機器）２０Ｂにおけるジャック部２２Ｂは、ジャック２２１ＢにＭＩＣ端子ＴＭが増設されており、その引き出し部２２８がＭＩＣ端子ＴＭに接続されている。
そして、引き出し部２２８には、高周波遮断のためのインダクタＬやフェライトビーズＦＢ等により形成される高周波遮断部２２９が挿入（接続）されている。
【００５４】
その他の構成は第２の実施形態と同様である。
本第３の実施形態によれば、上述した第１および第２の実施形態と同様の効果を得ることができる。
【００５５】
＜４．第４の実施形態＞
［受信システム（受信装置）の第４の構成例］
図１３は、本発明の第４の実施形態に係る受信システムの等価回路を示す図である。
【００５６】
本第４の実施形態に係る受信システム１０Ｃが第２の実施形態に係る受信システム１０Ａと異なる点は、アンテナケケーブルを用いずに、イヤホンケーブル７０を、中継部６２Ｃを介して３極プラグ４０に接続するようにしたことにある。
【００５７】
図１４（Ａ）および（Ｂ）は、アンテナケーブルを用いずにイヤホンケーブルを接続したときのＶＨＦ帯およびＵＨＦ帯の受信装置の周波数に対するピークゲイン特性を示す図である。
図１４（Ａ）および（Ｂ）において、Ｈで示す曲線が水平偏波の特性を示し、Ｖで示す曲線が垂直偏波の特性を示している。
また、図１４（Ｃ）および（Ｄ）においては、特性図にあわせて測定結果を詳細に示す図表を図示している。
図１４（Ａ）および（Ｃ）がＶＨＦ帯の特性を、図１４（Ｂ）および（Ｄ）がＵＨＦ帯の特性を示している。
【００５８】
図１４からわかるように、本実施形態のアンテナケーブルとイヤホンケーブルを含むアンテナ装置を用いていることにより、ＶＨＦ帯のローバンドもハイバンドも受信可能である。
【００５９】
通常のイヤホンケーブルのみを用いた場合であっても、図１４のアンテナゲインの測定結果を見るとわかるように、ＵＨＦ帯は、アンテナケーブルがあるものの方がいいが、ＶＨＦ帯は、同等で、それなりに受信できるアンテナ装置を実現することが可能である。
【００６０】
＜５．第５の実施形態＞
［受信システム（受信装置）の第５の構成例］
図１５は、本発明の第５の実施形態に係る受信システムの等価回路を示す図である。
【００６１】
本第５の実施形態に係る受信システム１０Ｄが第２の実施形態に係る受信システム１０Ａと異なる点は、次のとおりである。
すなわち、一ラインとしてのＧＮＤライン６１３Ｄが同軸ケーブル６１０Ｄで形成され、他ラインとしての音声信号のＲｃｈライン６１１ＤおよびＬｃｈライン６１２Ｄが外側で、同軸ケーブル６１０Ｄに並列に配置されている。
中継部６２Ｄにおける接続は第２の実施形態と同様に、Ｒｃｈライン６１１Ｄは高周波遮断部６２１を介してプラグ端子４２２に接続され、Ｌｃｈライン６１２Ｄが高周波遮断部６２２を介してプラグ端子４２３に接続されている。
中継部６２Ｄにおいて、同軸ケーブル６１０Ｄに芯線であるＧＮＤライン６１３Ｄとシールド部６１５とプラグ４０のＧＮＤ端子４２１が接続されて、アンテナ信号ラインＬＡＮＴが形成されている。
そして、中継部６２Ｄにおいては、アンテナ信号ラインＬＡＮＴと、Ｒｃｈライン６１１ＤおよびＬｃｈライン６１２Ｄの間に、容量Ｃ６２１，Ｃ６２２が形成されている。
本実施形態においては、キャパシタを配置している。これにより、アンテナ特性の向上を図ることが可能である。
【００６２】
そして、アンテナケーブル６０Ｄの他端側に、基板やモールドにより形成される中継部１００が配置されている。
中継部１００において、同軸ケーブル６１０Ｄの芯線６１３Ｄの他端が配線１０１によりイヤホンケーブル７０のＧＮＤライン７３６，７３７と接続されている。
また、信号ライン６１１Ｄ，６１２Ｄの他端にはインダクタやフェライトビーズにより形成される高周波遮断機能を有する高周波遮断部１０２，１０３が接続されている。
そして、高周波遮断部１０２が配線１０４によりイヤホンケーブル７０のＲｃｈライン７３４に接続され、高周波遮断部１０３が配線１０５によりイヤホンケーブル７０のＬｃｈライン７３５に接続されている。
【００６３】
このような構成を有する第５の実施形態においても、上述したと同様の効果を得ることが可能である。
【００６４】
＜６．第６の実施形態＞
［受信システム（受信装置）の第６の構成例］
図１６は、本発明の第６の実施形態に係る受信システムの等価回路を示す図である。
【００６５】
本第６の実施形態に係る受信システム１０Ｅが第３の実施形態に係る受信システム１０Ｂと異なる点は、次のとおりである。
すなわち、一ラインとしてのＧＮＤライン６１３Ｅが同軸ケーブル６１０Ｅが形成され、他ラインとしての音声信号のＲｃｈライン６１１Ｅ、Ｌｃｈライン６１２Ｅ、およびＭＩＣライン６１７Ｅが外側で、同軸ケーブル６１０Ｅに並列に配置されている。
中継部６２Ｅにおける接続は第３の実施形態と同様に、Ｒｃｈライン６１１Ｅは高周波遮断部６２１を介してプラグ端子４２２に接続され、Ｌｃｈライン６１２Ｅが高周波遮断部６２２を介してプラグ端子４２３に接続されている。さらに、ＭＩＣライン６１７Ｅが高周波遮断部６２３を介してプラグ端子４２４に接続されている。
中継部６２Ｅにおいて、同軸ケーブル６１０Ｅに芯線であるＧＮＤライン６１３Ｅとシールド部６１５とプラグ４０ＢのＧＮＤ端子４２１が接続されて、アンテナ信号ラインＬＡＮＴが形成されている。
そして、中継部６２Ｅにおいては、アンテナ信号ラインＬＡＮＴと、Ｒｃｈライン６１１Ｅ，Ｌｃｈライン６１２Ｅ、およびＭＩＣライン６１７Ｅの間に、容量Ｃ６２１，Ｃ６２２，Ｃ６２３が形成されている。
本実施形態においては、キャパシタを配置している。
【００６６】
そして、アンテナケーブル６０Ｅの他端側に、基板やモールドにより形成される中継部１００Ｅが配置されている。
中継部１００Ｅにおいて、同軸ケーブル６１０Ｅの芯線６１３Ｅの他端が配線１０１Ｅによりイヤホンケーブル７０のＧＮＤライン７３６，７３７と接続されている。
また、信号ライン６１１Ｅ，６１２Ｅ，６１７Ｅの他端にはインダクタやフェライトビーズにより形成される高周波遮断機能を有する高周波遮断部１０２Ｅ，１０３Ｅ，１０６Ｅが接続されている。
そして、高周波遮断部１０２Ｅが配線１０４Ｅによりイヤホンケーブル７０のＲｃｈライン７３４に接続され、高周波遮断部１０３Ｅが配線１０５Ｅによりイヤホンケーブル７０のＬｃｈライン７３５に接続されている。
高周波遮断部１０６ＥはＭＩＣ９０に接続され、ＭＩＣ９０は配線１０７Ｅにより配線１０１Ｅおよびイヤホンケーブル７０のＧＮＤライン７３６，７３７に接続されている。
【００６７】
このような構成を有する第６の実施形態においても、上述したと同様の効果を得ることが可能である。
【００６８】
以上説明したように、本実施形態によれば、φ３．５ｍｍ、φ２．５ｍｍなどの通常オーディオでよく使用するプラグジャックを用いて、ＶＨＦ帯、ＵＨＦ帯を受信するアンテナにおいて、結合部のロスを減らして、高い受信性能を実現することができる。
【００６９】
なお、アンテナケーブルにおいて、伝送ケーブルが、中継部に接続される部位が、同軸構造ではなく平行２線で構成することも可能である。
また、高周波遮断部位は、磁性材料にケーブル部を巻きつけることによって形成することも可能である。
【符号の説明】
【００７０】
１０，１０Ａ〜１０Ｅ・・・受信システム（受信装置）、２０・・・携帯端末（電子機器、セット）、２２，２２Ｂ・・・ジャック部、２２１，２２１Ｂ・・・ジャック、２２２〜２２４，２２８・・・引き出し部、２２５〜２２７，２２９・・・高周波遮断部、２２１〜２２３、２３・・・チューナー、３０・・・アンテナ装置、４０・・・３極プラグ、４０Ｂ・・・４極プラグ、５０・・・音声信号伝送ケーブル、６０・・・アンテナケーブル、６１・・・同軸ケーブル、６２，１００，１００Ｅ・・・中継部、６２１〜６２３・・・高周波遮断部、７０・・・イヤホンケーブル、８０・・・実装基板、９０・・・マイクロフォン（ＭＩＣ）。
【図１】
0005949963.tif 000002
【図２】
0005949963.tif 000003
【図３】
0005949963.tif 000004
【図４】
0005949963.tif 000005
【図５】
0005949963.tif 000006
【図６】
0005949963.tif 000007
【図７】
0005949963.tif 000008
【図８】
0005949963.tif 000009
【図９】
0005949963.tif 000010
【図１０】
0005949963.tif 000011
【図１１】
0005949963.tif 000012
【図１２】
0005949963.tif 000013
【図１３】
0005949963.tif 000014
【図１４】
0005949963.tif 000015
【図１５】
0005949963.tif 000016
【図１６】
0005949963.tif 000017